(57)【要約】【課題】複数のデータ記録装置で記録されたデータから合成データを作成する際に、記録時間を容易に一致可能なデータ記録システムを提供する。【解決手段】本発明のデータ記録システムは、複数のデータ記録装置１０，２０を備え、その中の第１データ記録装置１０は第１信号を送信する第１送信部１７を有し、第２データ記録装置２０は、第１送信部から送信された第１信号を受信する第２受信部２４と、該第１信号を受信した後、第２信号を送信する第２送信部と、を有し、第１データ記録装置は、第２送信部から送信された第２信号を受信する第１受信部１７をさらに有し、第１送信部は、第２信号を受信した後、第３信号を送信し、第２データ記録装置は、第３信号を受信した後、第３信号の受信時刻と、第２信号の送信時刻との時間差より、第２データ記録装置と第１データ記録装置との間の通信にかかる遅延時間ｔｄを求める。【選択図】図３
2014036341.tif 000002
【特許請求の範囲】
【請求項１】
複数のデータ記録装置を備え、
前記複数のデータ記録装置のうちの第１データ記録装置は第１信号を送信する第１送信部を有し、
前記複数のデータ記録装置のうちの第２データ記録装置は、前記第１送信部から送信された前記第１信号を受信する第２受信部と、該第１信号を受信した後、第２信号を送信する第２送信部と、を有し、
前記第１データ記録装置は、前記第２送信部から送信された前記第２信号を受信する第１受信部をさらに有し、前記第１送信部は、前記第２信号を受信した後、第３信号を送信し、
前記第２データ記録装置は、前記第２受信部によって前記第１送信部から送信された前記第３信号を受信した後、該第３信号の受信時刻と、前記第２信号の送信時刻との時間差より、該第２データ記録装置と前記第１データ記録装置との間の通信にかかる遅延時間を求める、
データ記録システム。
【請求項２】
請求項１に記載のデータ記録システムであって、
前記第２データ記録装置は複数存在し、それぞれ個体識別情報を有し、前記第２送信部は、前記第２送信部から前記第２信号とともに該個体識別情報を送信し、
前記第１データ記録装置は、前記第２送信部から送信された前記第２信号と前記固体識別情報を受信してから前記第３信号を送信する際、該第３信号をそれぞれの前記個体識別情報と関連付けて前記第３信号を前記２データ記録部に送信し、
前記第２データ記録装置は、前記送信される前記第３信号のうち、自己の固体識別情報と関連付けられた前記第３信号を認識すること、
を特徴とするデータ記録システム。
【請求項３】
請求項１または２に記載のデータ記録システムであって、
前記第２データ記録装置は、前記遅延時間を算出した後、前記第１データ記録装置から送信されるデータ記録開始信号を受信する前に、データの記録を開始すること、
を特徴とするデータ記録システム。
【請求項４】
請求項３に記載のデータ記録システムであって、
前記第２データ記録装置は、前記データ記録開始信号を受信した以前のデータにおける前記遅延時間以前のものは破棄すること、
を特徴とするデータ記録システム。
【請求項５】
請求項１から４のいずれか１項に記載のデータ記録システムであって、
前記第２データ記録装置は、前記第１データ記録装置からデータ記録終了信号を受信して、データの記録を終了した後、その終了時点よりも前記遅延時間前の時点から該終了時点までのデータは破棄すること、
を特徴とするデータ記録システム。
【請求項６】
請求項１から５のいずれか１項に記載のデータ記録システムであって、
前記第２データ記録装置は、前記第２データ記録装置で記録された第２データを出力可能で、
前記第１データ記録装置は、前記第２データを入力可能であって、入力された第２データと該第１データ記録装置で記録された第１データとを合成可能であること、
を特徴とするデータ記録システム。
【請求項７】
請求項１から６のいずれか１項に記載のデータ記録システムであって、
前記第１データ記録装置で記録された第１データと、前記第２データ記録装置で記録された第２データとは出力可能であり、
出力された前記第１データと前記第２データとが入力可能で、該第１データと該第２データとを合成可能な合成装置と、
を備えること、
特徴とするデータ記録システム。
【請求項８】
請求項１から７のいずれか１項に記載のデータ記録システムであって、
前記第１データ記録装置は撮像装置であり、
前記第２データ記録装置は、録音装置であること、
を特徴とするデータ記録システム。
【発明の詳細な説明】
【技術分野】
【０００１】
本発明は、データ記録システムに関するものである。
【背景技術】
【０００２】
近年、高品位の動画を撮影することが出来るデジタルカメラが市場に投入されている。しかしながらデジタルカメラにサラウンド音声のような高性能の録音機能を設置するのはスペース、コストの面から困難な状況である。このため、撮像装置とは別の録音装置によって音声を録音する技術もあり、従来、このような装置では、録音された音声データと撮像装置による音声データとの予め定められた周波数成分のデータを抽出比較し、映像と音声のずれを無くしている（特許文献１参照）。
【先行技術文献】
【特許文献】
【０００３】
【特許文献１】特開２０１０−１７１６２６号公報
【発明の概要】
【発明が解決しようとする課題】
【０００４】
しかし、上記従来技術は、撮像装置による撮影開始と録音装置による録音開始のタイミングを厳密にあわせていないために音声データの分離、分析が必要である。このため、処理が複雑になるという問題がある。
【０００５】
本発明の課題は、複数のデータ記録装置で記録されたデータから合成データを作成する際に、記録時間を容易に一致可能なデータ記録システムを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、複数のデータ記録装置（１０，２０）を備え、前記複数のデータ記録装置（１０，２０）のうちの第１データ記録装置（１０）は第１信号を送信する第１送信部（１７）を有し、前記複数のデータ記録装置（１０，２０）のうちの第２データ記録装置（２０）は、前記第１送信部（１７）から送信された前記第１信号を受信する第２受信部（２４）と、該第１信号を受信した後、第２信号を送信する第２送信部（２４）と、を有し、前記第１データ記録装置（１０）は、前記第２送信部（２４）から送信された前記第２信号を受信する第１受信部（１７）をさらに有し、前記第１送信部（１７）は、前記第２信号を受信した後、第３信号を送信し、前記第２データ記録装置（２０）は、前記第２受信部（２４）によって前記第１送信部（１７）から送信された前記第３信号を受信した後、該第３信号の受信時刻と、前記第２信号の送信時刻との時間差より、該第２データ記録装置（２０）と前記第１データ記録装置（１０）との間の通信にかかる遅延時間（ｔｄ）を求める、データ記録システム（１０，２０）である。
請求項２に記載の発明は、請求項１に記載のデータ記録システム（１０，２０）であって、前記第２データ記録装置（２０）は複数存在し、それぞれ個体識別情報を有し、前記第２送信部（２４）は、前記第２送信部（２４）から前記第２信号とともに該個体識別情報を送信し、前記第１データ記録装置（１０）は、前記第２送信部（２４）から送信された前記第２信号と前記個体識別情報を受信してから前記第３信号を送信する際、該第３信号をそれぞれの前記個体識別情報と関連付けて前記第３信号を前記２データ記録部に送信し、前記第２データ記録装置（２０）は、前記送信される前記第３信号のうち、自己の固体識別情報と関連付けられた前記第３信号を認識すること、を特徴とするデータ記録システム（１０，２０）である。
請求項３に記載の発明は、請求項１または２に記載のデータ記録システム（１０，２０）であって、前記第２データ記録装置（２０）は、前記遅延時間（ｔｄ）を算出した後、前記第１データ記録装置（１０）から送信されるデータ記録開始信号を受信する前に、データの記録を開始すること、を特徴とするデータ記録システム（１０，２０）である。
請求項４に記載の発明は、請求項３に記載のデータ記録システム（１０，２０）であって、前記第２データ記録装置（２０）は、前記データ記録開始信号を受信した以前のデータにおける前記遅延時間（ｔｄ）以前のものは破棄すること、を特徴とするデータ記録システム（１０，２０）である。
請求項５に記載の発明は、請求項１から４のいずれか１項に記載のデータ記録システム（１０，２０）であって、前記第２データ記録装置（２０）は、前記第１データ記録装置（１０）からデータ記録終了信号を受信して、データの記録を終了した後、その終了時点よりも前記遅延時間（ｔｄ）前の時点から該終了時点までのデータは破棄すること、を特徴とするデータ記録システム（１０，２０）である。
請求項６に記載の発明は、請求項１から５のいずれか１項に記載のデータ記録システム（１０，２０）であって、前記第２データ記録装置（２０）は、前記第２データ記録装置（２０）で記録された第２データを出力可能で、前記第１データ記録装置（１０）は、前記第２データを入力可能であって、入力された第２データと該第１データ記録装置（１０）で記録された第１データとを合成可能であること、を特徴とするデータ記録システム（１０，２０）である。
請求項７に記載の発明は、請求項１から６のいずれか１項に記載のデータ記録システム（１０，２０）であって、前記第１データ記録装置（１０）で記録された第１データと、前記第２データ記録装置（２０）で記録された第２データとは出力可能であり、出力された前記第１データと前記第２データとが入力可能で、該第１データと該第２データとを合成可能な合成装置と、を備えること、特徴とするデータ記録システム（１０，２０）である。
請求項８に記載の発明は、請求項１から７のいずれか１項に記載のデータ記録システム（１０，２０）であって、前記第１データ記録装置（１０）は撮像装置であり、前記第２データ記録装置（２０）は、録音装置であること、を特徴とするデータ記録システム（１０，２０）である。
なお、符号を付して説明した構成は、適宜改良してもよく、また、少なくとも一部を他の構成物に代替してもよい。
【発明の効果】
【０００８】
本発明によれば、複数のデータ記録装置で記録されたデータから合成データを作成する際に、記録時間を容易に一致可能なデータ記録システムを提供できる。
【図面の簡単な説明】
【０００９】
【図１】本発明の実施の形態を適用した動画音声記録システムを示す概念図である。
【図２】動画音声記録システムを構成するカメラおよび外部録音装置のブロック構成図である。
【図３】カメラと外部録音装置の間の通信とカメラにおける動画撮影および外部録音装置における録音とを時系列で表したタイムチャートである。
【図４】カメラの制御部による録音同期信号発信制御および撮影制御のフローチャートである。
【図５】外部録音装置の制御部による録音同期制御および録音制御のフローチャートである。
【発明を実施するための形態】
【００１０】
以下、図面等を参照して、本発明の実施形態について説明する。
図１は、本発明の実施の形態を適用した動画音声記録システムを示す概念図である。図２は、動画音声記録システムを構成するカメラ１０および外部録音装置２０のブロック構成図である。
【００１１】
図１に示す動画音声記録システムは、動画像を撮影可能なカメラ１０と、被写体１に近接配設される複数（２台）の外部録音装置２０と、により構成されている。
カメラ１０は被写体１の動画像を撮影し、外部録音装置２０は被写体１の音声を録音する。カメラ１０と外部録音装置２０とは相互に通信可能であって、外部録音装置２０はカメラ１０による撮影（画像データの記録）と同期して録音（音声データの記録）を行う。
なお、図１は外部録音装置２０を２台用いる例であるが、外部録音装置２０は２台に限らず１台または３台以上であっても良い。また、カメラ１０は、レンズ交換式でもレンズ一体式であっても良い。
【００１２】
以下、各構成要素について順を追って詳細に説明する。はじめに、カメラ１０について説明する。図２（ａ）はカメラ１０のブロック構成図である。
カメラ１０は、撮影部１１と、マイク１２と、Ａ／Ｄ変換部１３と、メモリ１４と、動画生成部１５と、メモリカードインタフェース部１６と、通信インタフェース部１７と、制御部１８と、タイマー１９と、を備えている。また、カメラ１０は、図１に示すように、結像光学系であるレンズ１０Ｌと、撮影指令するレリーズ釦１０Ｒと、撮影画面等を表示する表示部１０Ｄ等を備えている。
【００１３】
撮影部１１は、図示しないＣＣＤ等の光電変換素子を備えており、使用者によるレリーズ釦１０Ｒの押下操作によって撮影が指令されると、レンズ１０Ｌ（図１参照）によって光電変換素子の結像面に結像した被写体像を光電変換し、画像データとしてメモリ１４に出力する。
Ａ／Ｄ変換部１３は、撮影の開始と共にマイク１２が集音した音声の電気信号（音声信号）をアナログ・デジタル変換し、デジタルデータに変換された音声データをメモリ１４に出力する。
【００１４】
通信インタフェース部１７は、外部録音装置２０と無線通信を行う。すなわち、後述する制御部１８における録音同期信号発信制御および外部録音装置２０における録音同期制御に係る制御情報信号の発信と受信とを行う。
メモリ１４は、撮影部１１が撮影した画像データと、マイク１２が集音した音声データとを記憶する。
【００１５】
動画生成部１５は、メモリ１４に記憶されている画像データと音声データとを関連付けた動画データを生成し、その動画データをメモリカードインタフェース部１６に出力する。また、動画生成部１５は、メモリ１４に記憶されている画像データと、メモリカードインタフェース部１６等を介して入力される外部録音装置２０が録音した音声データとを関連付けた動画データを生成し、メモリカードインタフェース部１６に出力するデータ合成機能も有する。
なお、本発明においては、動画生成部１５による動画データの生成方法に関しては規定しない。
【００１６】
メモリカードインタフェース部１６は、動画生成部１５から入力された動画データを、メモリカードに記録するために必要な処理を行って、図示しないメモリカードに記録する。なお、本発明においては、メモリカードへの動画データの記録方法に関しては規定しない。
また、メモリカードインタフェース部１６は、図示しないメモリカードに記録されている画像データおよび音声データを読み込んでメモリ１４に出力する機能も有する。
【００１７】
制御部１８は、カメラ１０における撮影動作等、当該カメラ１０全体を制御する。また、制御部１８は、当該カメラ１０の制御範囲に含まれる他の機器（外部録音装置２０）との通信動作を制御する。
【００１８】
つぎに、外部録音装置２０について説明する。図２（ｂ）は外部録音装置２０のブロック構成図である。
外部録音装置２０は、マイク２１と、Ａ／Ｄ変換部２２と、記録部２３と、通信インタフェース部２４と、制御部２５と、遅延時間演算部２６と、メモリカードインタフェース部２７と、タイマー２８と、を備えている。
【００１９】
Ａ／Ｄ変換部２２は、マイク２１が集音した音声の電気信号（音声信号）をアナログ
・デジタル変換し、デジタルデータに変換された音声データを記録部２３に出力する。
記録部２３は、Ａ／Ｄ変換部２２から入力された音声データを記憶すると共に、記憶している音声データを制御部２５からの制御に従ってメモリカードインタフェース部２７に出力する。
【００２０】
通信インタフェース部２４は、制御部２５の制御下でカメラ１０と通信を行う。すなわち、カメラ１０の制御部１８における録音同期信号発信制御および当該外部録音装置２０における録音同期制御に係る制御情報信号の発信と受信とを行う。通信インタフェース部２４は、受信信号を後述する遅延時間演算部２６に出力する。
制御部２５は、当該外部録音装置２０における録音動作およびカメラ１０との通信動作等、外部録音装置２０全体を制御する。また、制御部２５は、カメラ１０における撮像開始に対して当該外部録音装置２０による録音開始のタイミングを一致させる録音同期制御を行う。
【００２１】
遅延時間演算部２６は、通信インタフェース部２４から入力されるカメラ１０からの受信信号に基づいて、通信インタフェース部２４を介して行われるカメラ１０との通信に係る遅延時間を算出する。遅延時間は、カメラ１０における実際の撮影開始と、当該外部録音装置２０の通信インタフェース部２４が撮影開始信号を受信するまでのタイムラグであり、前述した制御部２５における録音同期制御は、この遅延時間を用いて行われる。
この遅延時間演算部２６による遅延時間算出と、制御部２５による録音同期制御は、後に詳述する。
メモリカードインタフェース部２７は、記録部２３から入力された音声データを、メモリカードに記録するために必要な処理を行って、図示しないメモリカードに記録する。
【００２２】
つぎに、前述した図１および図２に加えて図３〜図５を参照し、カメラ１０の制御部１８による録音同期信号発信制御と、外部録音装置２０の制御部２５による録音同期制御およびその遅延時間演算部２６による遅延時間算出について説明する。
図３は、カメラ１０と外部録音装置２０の間の通信とカメラ１０における動画撮影および外部録音装置２０における録音とを時系列で表したタイムチャートである。
図４は、カメラ１０の制御部１８による録音同期信号発信制御および撮像制御のフローチャートである。
図５は、外部録音装置２０の制御部２５による録音同期制御および録音制御のフローチャートである。
【００２３】
まず、図３を参照して、カメラ１０と外部録音装置２０の間の通信とカメラ１０における動画撮影および外部録音装置２０における録音を時系列に沿って説明する。
図３に示すように、カメラ１０は、撮影・録音に先立って外部録音装置２０に向けてスタンバイ信号を発信する。また、カメラ１０は、このスタンバイ信号の発信時にタイマー１９をリセット（ｔ＝０）して計時を開始する。スタンバイ信号は、外部録音装置２０の設置数およびそれらが通信可能であるか否か等の情報を得るために、通信可能範囲にある外部録音装置２０からの返信を要請するものである。
【００２４】
カメラ１０からのスタンバイ信号を受信した外部録音装置２０は、直ちに、カメラ１０に向けて遅延時間確認信号を発信する。この遅延時間確認信号には、当該外部録音装置２０の個体識別番号を付す。また、外部録音装置２０は、この発信時に当該外部録音装置２０内のタイマー２８をリセット（Ｔ＝０）して計時を開始する。
【００２５】
外部録音装置２０からの遅延時間確認信号を受信したカメラ１０は、外部録音装置２０を認識し、遅延時間確認信号の受信時：ｔｒから余裕時間：ｔ１を経過したｔｓ（＝ｔｒ＋ｔ１）時に、遅延時間確認信号を発信した外部録音装置２０（個体識別番号で識別される）に向けて遅延時間算出信号を発信する。なお、余裕時間：ｔ１は予め定められており、その情報は外部録音装置２０における制御部２５も保持している。
【００２６】
カメラ１０からの遅延時間算出信号を受信した外部録音装置２０は、遅延時間演算部２６によって、遅延時間確認信号の発信時：Ｔ＝０から遅延時間算出信号受信までの時間：Ｔｘと余裕時間：ｔ１とに基づいて遅延時間：ｔｄを算出すると共に、音声データのサンプリング（記録部２３への記憶）を開始する。
【００２７】
ここで、遅延時間：ｔｄは、カメラ１０の発信信号が外部録音装置２０に受信されるまでに要する時間である。遅延時間確認信号の発信時：Ｔ０から遅延時間算出信号の受信までの時間：Ｔｘで、信号がカメラ１０と外部録音装置２０との間を余裕時間：ｔ１を挟んで一往復しているため、通信の上りと下りに要する時間が等しいとして遅延時間：ｔｄは下記の式によって算出できる。
ｔｄ＝（Ｔｘ−ｔ１）／２
外部録音装置２０は、この遅延時間：ｔｄを、図示しないメモリに記憶する。
【００２８】
そして、撮影開始時において、カメラ１０は、撮影開始と同時に録音開始信号を外部録音装置２０に向けて発信する。
録音開始信号を受信した外部録音装置２０は、遅延時間算出信号の受信時以降記録部２３に記憶された音声データにおける録音開始信号の受信時から遅延時間：ｔｄ遡った位置（時間）を録音開始位置とし、それ以後の音声データを、メモリカードインタフェース部２７を介してメモリカードに記録する。録音開始位置以前の音声データは破棄する。
【００２９】
撮影終了時には、カメラ１０は、撮影停止と同時に録音停止信号を外部録音装置２０に向けて発信する。
録音停止信号を受信した外部録音装置２０は、音声データの記録部２３への記録を終了する。その後、録音停止信号の受信時から遅延時間：ｔｄ遡った位置（時間）を録音停止位置とし、録音停止位置までの音声データを、メモリカードインタフェース部２７を介してメモリカードに記録する。録音停止位置以後の音声データは破棄する。
【００３０】
上記のように、カメラ１０における制御部１８による録音同期信号発信制御と外部録音装置２０における制御部２５による録音同期制御によれば、カメラ１０における撮影（画像ファイル）と、外部録音装置２０における録音（音声ファイル）との、開始および終了時間を一致させることができる。遅延時間：ｔｄの算出には外部録音装置２０のタイマー２８のカウンタのみを使用して行うことも可能であるため、カメラ１０および複数の各外部録音装置２０の間での時計の時刻合わせの必要が無い。
【００３１】
また、撮影・録音終了後、外部録音装置２０の音声データを有線転送手段やメモリカード等の記録媒体を介してカメラ１０に転送することで、カメラ１０の動画生成部１５で画像データと音声データとを合成することができる。なお、画像データと音声データとの合成は、それぞれのデータをパソコンに取り込んでパソコン上で行う構成としても良い。
【００３２】
つぎに、図４に示すフローチャートに沿って、カメラ１０の制御部１８による録音同期信号発信制御および撮影制御を説明する。この制御は、カメラ１０が外部録音装置２０を用いる外部録音装置使用モードに設定されている場合に行われる。なお、図中および以下の説明中においてステップを「Ｓ」とも略記する。また、構成要素の符号については、図１および図２を参照のこと。
【００３３】
録音同期信号発信制御では、はじめに、使用者による録画スタンバイ入力を待機する（Ｓ４０１）。
ステップ４０１において録画スタンバイの入力が判断されると、外部録音装置２０に向けスタンバイ信号を発信すると共にタイマー１９をリセット（ｔ＝０）して計時を開始する（Ｓ４０２）。
【００３４】
ついで、外部録音装置２０からの遅延時間確認信号の受信を待機する（Ｓ４０３）。
ステップ４０３において外部録音装置２０からの遅延時間確認信号の受信が判断されると、その時点における時間：ｔｒとし（Ｓ４０５）、この時間：ｔｒからさらに定められた時間ｔ１の経過を判断する（Ｓ４０６）。
ステップ４０６において時間ｔ１の経過が判断されると、遅延時間算出信号を外部録音装置２０に発信する（Ｓ４０７）。なお、外部録音装置２０が複数存在する場合には、受信した個体の識別信号を遅延時間算出信号と同時に発信することで、外部録音装置２０側で自身に対する遅延時間算出信号かどうかを判断させる。
【００３５】
一方、ステップ４０３において外部録音装置２０からの遅延時間確認信号の受信が無い場合には定められた待機時間：ｔｅの経過を判断し（Ｓ４０４）、待機時間：ｔｅの経過が判断されると「外部録音装置が見つかりません」等の警告表示を表示部１０Ｄ（図１参照）に行って、制御を終了する。
ここで、待機時間：ｔｅは、準備される通信手段に想定される応答による遅延時間から算出される遅延時間確認信号の受信までの時間を若干超える程度に設定しておく。これによりカメラ１０（制御部１８）は、制御範囲内にある録音可能な外部録音装置２０を認識することができる。以後の制御は、相互通信が確立された外部録音装置２０に対して行う。
【００３６】
以上のステップでカメラ１０における録音同期信号発信制御は完了し、これ以降は撮影制御となる。
撮影制御では、まず、使用者による撮影開始命令の入力を待機する（Ｓ４０８）。
ステップ４０８で撮影開始命令の入力が判断されると、外部録音装置２０に向けて録音開始信号を発信し（Ｓ４０９）、撮影（画像データのメモリ１４への記憶）を開始する（Ｓ４１０）。
【００３７】
その後、撮影を継続し（Ｓ４１１）、使用者による撮影停止命令の入力を判断する（Ｓ４１２）。
ステップ４１２で撮影停止命令の入力が判断されると、外部録音装置２０に向けて録音停止信号を発信し（Ｓ４１３）、撮影を停止する（Ｓ４１４）。
そして、メモリ１４に記憶されている画像データと外部録音装置２０によって録音された音声データとを関連付けた動画データを動画生成部１５で生成し、メモリカードインタフェース部１６を介して図示しないメモリカードに記録する。
【００３８】
つぎに、図５に示すフローチャートに沿って、外部録音装置２０の制御部２５による録音同期制御および録音制御を説明する。この制御は、外部録音装置２０の動作モードが外部のカメラ１０の指令に従って作動する従動モードに設定されている場合に行われる。
【００３９】
録音同期制御では、カメラ１０からのスタンバイ信号を受信すると（Ｓ５０１）、遅延時間確認信号を発信すると共にタイマー２８をリセット（Ｔ＝０）して計時を開始する（Ｓ５０２）。
ついで、カメラ１０からの遅延時間算出信号の受信を待機する（Ｓ５０３）。
ステップ５０３において遅延時間算出信号の受信が判断されると、その受信した遅延時間算出信号内の個体識別信号が自身と一致するかどうかを判断する（Ｓ５０４）。
ステップ５０４において個体識別信号が自身と一致しない場合は、ステップ５０２に戻って再び待機する。
【００４０】
ステップ５０４において個体識別信号が自身と一致した場合は、その時間をＴｘとして（Ｓ５０５）、遅延時間演算部２６によって遅延時間：ｔｄを算出する（Ｓ５０６）。
遅延時間：ｔｄは、前述したように、カメラ１０の発信信号が外部録音装置２０に受信されるまでに要する時間であり、
ｔｄ＝（Ｔｘ−ｔ１）／２
によって算出する。
【００４１】
以上のステップで外部録音装置２０における録音同期制御は完了し、以降は録音制御となる。
録音制御では、ステップ５０４において個体識別信号が自身と一致した段階で、音声サンプリング（記録部２３への記憶）を開始し（Ｓ５０７）、録音開始信号の受信を待機する（Ｓ５０８）。
【００４２】
ステップ５０８において録音開始信号の受信が判断されると、その時点から遅延時間：ｔｄ以上遡った音声サンプリングデータを破棄する（Ｓ５０９）。なお、音声サンプリングデータの破棄は、ステップ５０８において録音開始信号の受信が判断されない場合に刻々と遅延時間：ｔｄ以上遡った音声サンプリングデータを破棄し続け、録音開始信号の受信と同時にサンプリングデータの破棄動作を終了するようにしても良い。
【００４３】
その後、音声サンプリングを継続しつつ、録音停止信号の受信を待機する（Ｓ５１０）。
ステップ５０８において録音停止信号の受信が判断されると、音声サンプリングを停止し（Ｓ５１１）、録音停止信号の受信の時点から遅延時間：ｔｄ以上遡った音声サンプリングデータを破棄する（Ｓ５１２）。
そして、記録部２３に記憶した音声サンプリングデータを、メモリカードインタフェース部２７を介して図示しないメモリカードに音声データとして記録する（Ｓ５１３）。
【００４４】
以上、本実施形態によると、以下の効果を有する。
（１）本実施形態に係る動画音声記録システムは、カメラ１０と外部録音装置２０とが通信を行い、その通信に要する時間から外部録音装置２０の遅延時間演算部２６が通信信号の遅延時間を算出する。そして、外部録音装置２０は、カメラ１０からの指令信号を受信すると遅延時間に基づいてカメラ１０の撮影と同期するように録音制御する。これにより、カメラ１０における撮影（動画ファイル）と、外部録音装置２０における録音（音声ファイル）との、開始および終了時間を一致させることができる。
【００４５】
（２）外部録音装置２０の遅延時間演算部２６は、遅延時間確認信号の発信から遅延時間算出信号受信までの時間に基づいて遅延時間を算出する。このため、遅延時間の算出は外部録音装置２０のタイマー２８のみで可能となる。これにより、面倒なカメラ１０および複数の各外部録音装置２０の間での時計の時刻合わせは不要となり、設定および構成を簡略化できる。
【００４６】
（変形形態）
以上、説明した実施形態に限定されることなく、以下に示すような種々の変形や変更が可能であり、それらも本発明の範囲内である。
（１）本実施形態では、カメラ１０と外部録音装置２０との間の通信を無線通信によって行うものである。しかし、これに限らず、有線で通信を行う構成としてもよい。また、無線ＬＡＮや光を用いた通信を用いても良く、情報交換が可能であれば如何なる手段であっても可能である。
（２）また、本実施形態は、動画生成を前提としたが、マスターとなる録音装置と従属する外部録音装置とによって音声データのみを対象としても構わない。
【００４７】
（３）カメラ１０および各外部録音装置２０にたとえばＧＰＳ等の衛星測位システムによる位置検出機能を付加し、その位置情報を音声合成に使用するように構成しても良い。これにより、多数のスピーカーを用いるサラウンドシステム等の高品位システムに適合するように音声合成することが可能となる。
なお、実施形態及び変形形態は、適宜組み合わせて用いることもできるが、詳細な説明は省略する。また、本発明は以上説明した実施形態によって限定されることはない。
【符号の説明】
【００４８】
１０：カメラ、１１：撮影部、１２：マイク、１５：動画生成部、１６：メモリカードインタフェース部、１７：通信インタフェース部、１８：制御部、１９：タイマー、２０：外部録音装置、２１：マイク、２４：通信インタフェース部、２５．制御部、２６：遅延時間演算部、２７：メモリカードインタフェース部、２８：タイマー
【図１】
2014036341.tif 000003
【図２】
2014036341.tif 000004
【図３】
2014036341.tif 000005
【図４】
2014036341.tif 000006
【図５】
2014036341.tif 000007